(57)【要約】【課題】レンズホルダの駆動効率を高く維持しつつ、製作コストを低減できる光ピックアップ用アクチュエータを提供することを目的とするものである。【解決手段】アクチュエータは、支軸３、及び支軸３を挟んで所定間隔を空けて相互に対向する一対の永久磁石４が立設された基台１と、対物レンズ６を保持して、永久磁石４同士の間で支軸３に軸方向及び周方向で摺動可能に支持されるとともに、支軸３に対して同軸状にフォーカシング用コイル７、及び各永久磁石４に対向する一対のトラッキング用コイル８が取り付けられたレンズホルダ２と、を備え、フォーカシング用コイル７の下端には、これと同軸状にリング状の磁性板１０が取り付けられている。更にフォーカシング用コイル７の内周には、各永久磁石４に対向する一対の磁性片１０ａが取り付けられており、これらの各磁性片１０ａは、磁性板１０の内縁から折曲形成されてなる。【選択図】　　　図３
0003097875.tif 000002
【実用新案登録請求の範囲】
【請求項１】
支軸、この支軸を挟んで所定間隔を空けて相互に対向する一対の永久磁石、及びこれらの各各永久磁石の内方でこれらに対向する一対の主ヨーク部材が立設された基台と、対物レンズを保持して、前記永久磁石同士の間で前記支軸に軸方向及び周方向で摺動可能に支持されるとともに、前記支軸に対して同軸状にフォーカシング用コイル、及びこのフォーカシング用コイルの外方で前記各永久磁石に対向する一対のトラッキング用コイルが取り付けられたレンズホルダと、を備え、前記フォーカシング用コイルの上下端各々に、これと同軸状にリング状の磁性板が取り付けられた光ピックアップ用アクチュエータにおいて、
上端側の前記磁性板を排除するとともに、前記主ヨーク部材に代えて、前記レンズホルダにおける前記フォーカシング用コイルの内周に、前記各永久磁石に対向する一対の磁性片が取り付けられており、これらの各磁性片は、下端側の前記磁性板の内縁から折曲形成されてなることを特徴とする光ピックアップ用アクチュエータ。
【請求項２】
支軸、及びこの支軸を挟んで所定間隔を空けて相互に対向する一対の永久磁石が立設された基台と、対物レンズを保持して、前記永久磁石同士の間で前記支軸に軸方向及び周方向で摺動可能に支持されるとともに、前記支軸に対して同軸状にフォーカシング用コイルが取り付けられたレンズホルダと、を備えた光ピックアップ用アクチュエータにおいて、
前記レンズホルダにおける前記フォーカシング用コイルの内周に、前記各永久磁石に対向する一対の磁性片が取り付けられていることを特徴とする光ピックアップ用アクチュエータ。
【請求項３】
前記フォーカシング用コイルの下端に、これと同軸状にリング状の磁性板が取り付けられており、前記各磁性片は、前記磁性板の内縁から折曲形成されてなることを特徴とする請求項２に記載の光ピックアップ用アクチュエータ。
【請求項４】
前記レンズホルダには、フォーカシング用コイルの外方で前記各永久磁石に対向する一対のトラッキング用コイルが取り付けられていることを特徴とする請求項２又は３に記載の光ピックアップ用アクチュエータ。
【考案の詳細な説明】
【０００１】
【考案の属する技術分野】
本考案は、ＣＤやＭＤやＤＶＤといった光学式記録媒体に対して情報を再生したり記録したりする光ピックアップ装置に搭載される光ピックアップ用アクチュエータに関する。
【０００２】
【従来の技術】
従来より、光ピックアップ用アクチュエータ（以下、単に「アクチュエータ」と記すことがある）としては、対物レンズを保持したレンズホルダが、基台に固定の支軸に対して軸方向及び周方向で摺動可能に支持された、いわゆる軸摺動方式のものがある。この種のアクチュエータは、一般に、電磁気的な作用でレンズホルダを駆動して対物レンズに対するフォーカシング及びトラッキングが行えるように、レンズホルダに固定のフォーカシング用コイル及びトラッキング用コイルと、レンズホルダの両側方で基台に固定の一対の永久磁石と、を備えており、フォーカシング用コイルに電流を印加することで支軸に沿ってレンズホルダが移動してフォーカシングがなされ、他方トラッキング用コイルに電流を印加することで支軸を中心にレンズホルダが回動してトラッキングがなされるようになっている（例えば、実用新案登録第３０８８５３２号公報、特開２００３−５９０７２号公報参照）。
【０００３】
このようなアクチュエータの従来の具体的な構成について、図５〜図７を参照しながら説明する。図５は従来のアクチュエータの外観を示す要部上面図、図６はそのアクチュエータのＣ−Ｃ断面を示す縦断面図、図７はそのアクチュエータのＤ−Ｄ断面を示す縦断面図である。これらの図に示すように、従来のアクチュエータは、大きくは、強磁性を有する基台１０１と、レンズホルダ１０２と、より構成される。
【０００４】
基台１０１は、光ピックアップ装置における受発光素子等が装着されたベース部材（不図示）に固定されるものであって、その中央には円柱状の支軸１０３が立設されている。また、基台１０１には、支軸１０３と平行でこれを挟むように所定間隔を空けて相互に対向する一対の永久磁石１０４，１０４が立設されている。なお、これらの各永久磁石１０４，１０４は、各外面が基台１０１の両側から折曲形成された補助ヨーク部１０１ａ，１０１ａと磁着されつつ、各下端が基台１０１上に立設されたピン部１０１ｂ，１０１ｂで支持されている。
【０００５】
更に基台１０１には、支軸１０３と各永久磁石１０４，１０４との間である各永久磁石１０４，１０４の内方でこれら各々と対向する一対の主ヨーク部材１０５，１０５が立設されている。これらの各主ヨーク部材１０５，１０５も強磁性を有する磁性体である。ここで、各主ヨーク部材１０５，１０５は、各永久磁石１０４，１０４からの磁束を有効に引き込んで、主として、両者の間に配置される後述のフォーカシング用コイル１０７及びトラッキング用コイル１０８に高密度の磁束を与え、これにより、レンズホルダ１０２の駆動効率を高める役割を果たすものである。
【０００６】
続いて、レンズホルダ１０２は、樹脂成型されてなり、その一端部１０２ａ（図５及び図６では右側の部分）に対物レンズ１０６が保持されている。また、レンズホルダ１０２の下面の中央には、対物レンズ１０６の光軸方向（図５では紙面に垂直な方向で、図６では上下方向）と平行で基台１０１の支軸１０３とほぼ同径の内径を有する円筒部１０２ｂが形成されており、この円筒部１０２ｂの内穴はレンズホルダ１０２そのものを貫通している。更にレンズホルダ１０２には、円筒部１０２ｂの外方でこれと同軸状に矩形筒状部１０２ｃが形成されており、この矩形筒状部１０２ｃは、レンズホルダ１０２の両側に沿った（図５及び図６では左右方向で、図７では紙面に垂直な方向）短辺と、これと垂直な長辺と、よりなる。
【０００７】
ここで、矩形筒状部１０２ｃには、フォーカシング用コイル１０７が外挿されるが、その両端（図６及び図７では上下端）各々には、これと同軸状に矩形リング状の磁性板１０９，１１０も外挿される。これらは、矩形筒状部１０２ｃすなわちレンズホルダ１０２に対して、更に接着剤等で固着されて一体的に取り付けられている。また、フォーカシング用コイル１０７の外方であるレンズホルダ１０２の両側には、それぞれトラッキング用コイル１０８，１０８が接着剤等で固着されて取り付けられている。更に、レンズホルダ１０２における円筒部１０２ｂと矩形筒状部１０２ｃの各短辺との間には、基台１０１の各主ヨーク部材１０５，１０５を許容する大きさの貫通穴１０２ｄ，１０２ｄが形成されている。
【０００８】
このような構成のもと、レンズホルダ１０２は、その円筒部１０２ｂの内穴が基台１０１の支軸１０３に挿入されて、各永久磁石１０４，１０４同士の間で、支軸１０３に対し軸方向及び周方向で摺動可能に支持されるようになり、これと併せて、各磁性板１０９，１１０と各永久磁石１０４，１０４との磁気的な引力の作用によって、各トラッキング用コイル１０８，１０８が各永久磁石１０４，１０４と対向し、且つ、レンズホルダ１０２そのものが浮上した状態に維持される。こうして、各永久磁石１０４，１０４と各主ヨーク部材１０５，１０５との間にフォーカシング用コイル１０７及びトラッキング用コイル１０８が配置されるようになり、フォーカシング用コイル１０７及びトラッキング用コイル１０８に電流を印加することでレンズホルダ１０２を駆動し、これにより対物レンズ１０６に対するフォーカシング及びトラッキングが行える。なお、基台１０１の各主ヨーク部材１０５，１０５は、レンズホルダ１０２の各貫通穴２ｄ，２ｄを貫通していて、レンズホルダ１０２の軸方向及び周方向の移動を阻害することはない。
【０００９】
【考案が解決しようとする課題】
しかし、上記した従来のアクチュエータでは、レンズホルダ１０２の駆動効率を高めるべく主ヨーク部材１０５，１０５が必要であるため、部品点数が多く、アクチュエータそのものの製作コストの低減が制約されていた。しかも、基台１０１に主ヨーク部材１０５，１０５を立設する製作段階で、レンズホルダ１０２を駆動の際の主ヨーク部材１０５，１０５に対する共振防止を考慮した工夫、例えば、基台１０１に主ヨーク部材１０５，１０５を複数のネジや接着剤で強固に固定する必要があるため、その結果、製作コストが悪化していた。
【００１０】
そこで、本考案は、上記の問題に鑑みてなされたものであり、レンズホルダの駆動効率を高く維持しつつ、製作コストを低減できる光ピックアップ用アクチュエータを提供することを目的とするものである。
【００１１】
【課題を解決するための手段】
上記目的を達成するため、本考案によるアクチュエータは、支軸、この支軸を挟んで所定間隔を空けて相互に対向する一対の永久磁石、及びこれらの各各永久磁石の内方でこれらに対向する一対の主ヨーク部材が立設された基台と、対物レンズを保持して、前記永久磁石同士の間で前記支軸に軸方向及び周方向で摺動可能に支持されるとともに、前記支軸に対して同軸状にフォーカシング用コイル、及びこのフォーカシング用コイルの外方で前記各永久磁石に対向する一対のトラッキング用コイルが取り付けられたレンズホルダと、を備え、前記フォーカシング用コイルの上下端各々に、これと同軸状にリング状の磁性板が取り付けられた光ピックアップ用アクチュエータにおいて、上端側の前記磁性板を排除するとともに、前記主ヨーク部材に代えて、前記レンズホルダにおける前記フォーカシング用コイルの内周に、前記各永久磁石に対向する一対の磁性片が取り付けられており、これらの各磁性片は、下端側の前記磁性板の内縁から折曲形成されてなる。これにより、レンズホルダに固定の各磁性片が基台に固定の各永久磁石と磁気的に対になるため、対物レンズに対するフォーカシング及びトラッキングの際のレンズホルダの駆動効率を高めることができる。従って、従来のアクチュエータに必要であった各主ヨーク部材が一切不要となり、その結果、アクチュエータそのものの製作コストの低減が達成できる。
【００１２】
また、上記目的を達成するための本考案によるアクチュエータは、支軸、及びこの支軸を挟んで所定間隔を空けて相互に対向する一対の永久磁石が立設された基台と、対物レンズを保持して、前記永久磁石同士の間で前記支軸に軸方向及び周方向で摺動可能に支持されるとともに、前記支軸に対して同軸状にフォーカシング用コイルが取り付けられたレンズホルダと、を備えた光ピックアップ用アクチュエータにおいて、前記レンズホルダにおける前記フォーカシング用コイルの内周に、前記各永久磁石に対向する一対の磁性片が取り付けられている。これにより、レンズホルダに固定の各磁性片が基台に固定の各永久磁石と磁気的に対になるため、対物レンズに対するフォーカシングの際のレンズホルダの駆動効率を高めることができる。従って、従来のアクチュエータに必要であった各主ヨーク部材が一切不要となり、その結果、アクチュエータそのものの製作コストの低減が達成できる。
【００１３】
ここで、より簡単に磁性片を得る目的で、前記フォーカシング用コイルの下端に、これと同軸状にリング状の磁性板が取り付けられており、前記各磁性片は、前記磁性板の内縁から折曲形成されてなることが好ましい。
【００１４】
更に、アクチュエータとして機能するより実用的な構成としては、前記レンズホルダには、フォーカシング用コイルの外方で前記各永久磁石に対向する一対のトラッキング用コイルが取り付けられているとよい。
【００１５】
【考案の実施の形態】
以下に、本考案の光ピックアップ用アクチュエータの実施形態について、図面を参照しながら詳述する。図１は本考案の一実施形態であるアクチュエータの外観を示す要部上面図、図２はそのアクチュエータのＡ−Ａ断面を示す縦断面図、図３はそのアクチュエータのＢ−Ｂ断面を示す縦断面図、そのアクチュエータにおけるレンズホルダの外観を示す分解斜視図である。なお、これらの図中、同じ名称で同じ機能を果たす部分には同一の符号を付している。
【００１６】
本実施形態のアクチュエータは、図１〜図４に示すように、大きくは、強磁性を有する基台１と、レンズホルダ２と、より構成される。
【００１７】
基台１は、光ピックアップ装置における受発光素子やハーフミラーやプリズム等が装着されたベース部材（不図示）に固定されるものであって、その中央には円柱状の支軸３が立設されている。また、基台１には、支軸３と平行でこれを挟むように所定間隔を空けて相互に対向する一対の永久磁石４，４が立設されている。なお、これらの各永久磁石４，４は、各外面が基台１の両側から折曲形成された補助ヨーク部１ａ，１ａと磁着されつつ、各下端が基台１上に立設されたピン部１ｂ，１ｂで支持されている。
【００１８】
続いて、レンズホルダ２は、樹脂成型されてなり、その一端部２ａ（図１及び図２では右側の部分）に対物レンズ６が保持されている。また、レンズホルダ２の下面の中央には、対物レンズ６の光軸方向（図１では紙面に垂直な方向で、図２では上下方向）と平行で基台１の支軸３とほぼ同径の内径を有する円筒部２ｂが形成されており、この円筒部２ｂの内穴はレンズホルダ２そのものを貫通している。更にレンズホルダ２には、円筒部２ｂの外周から４方それぞれに向けて突起部２ｃが形成されている（図４参照）。
【００１９】
ここで、４つの突起部２ｃには、これらを４隅としてフォーカシング用コイル７が外挿されるが、その両端（図２及び図３では上下端）のうちの下端には、これと同軸状に矩形リング状の磁性板１０も外挿される。この磁性板１０も強磁性を有する磁性体である。これらは、各突起部２ｃすなわちレンズホルダ２に対して、更に接着剤等で固着されて一体的に取り付けられている。このようにして、フォーカシング用コイル７が円筒部２ｂに対し同軸状になる。また、フォーカシング用コイル７の外方であるレンズホルダ２の両側（図１では左右方向に延在する上下の部分）には、それぞれトラッキング用コイル８，８が接着剤等で固着されて取り付けられている。
【００２０】
更にここで、磁性板１０には、レンズホルダ２の両側に沿った内縁から折曲形成された磁性片１０ａ，１０ａが設けられていて、これらの各磁性片１０ａ，１０ａは、フォーカシング用コイル７の内周に沿いながら上方に向けて延在している。
【００２１】
このような構成のもと、レンズホルダ２は、その円筒部２ｂの内穴が基台１の支軸３に挿入されて、各永久磁石４，４同士の間で、支軸３に対し軸方向及び周方向で摺動可能に支持されるようになり、これと併せて、各磁性片１０ａ，１０ａを含む磁性板１０と各永久磁石４，４との磁気的な引力の作用によって、各トラッキング用コイル８，８が各永久磁石４，４と対向し、且つ、レンズホルダ２そのものが浮上した状態に維持される。こうして、各永久磁石４，４と各主ヨーク部材５，５との間にフォーカシング用コイル７及びトラッキング用コイル８が配置されるようになる。しかもその状態では、各磁性片１０ａ，１０ａは、各永久磁石４，４の内方でこれら各々と対向しており、各永久磁石４，４からの磁束を有効に引き込んで、両者の間に配置されたフォーカシング用コイル７及びトラッキング用コイル８に高密度の磁束を与え、これにより、レンズホルダ２の駆動効率を高める役割を果たす。従って、フォーカシング用コイル７及びトラッキング用コイル８に電流を印加することでレンズホルダ２を駆動し、これにより対物レンズ６に対するフォーカシング及びトラッキングが行える。
【００２２】
このように本実施形態では、従来のアクチュエータにおける各主ヨーク部材１０５，１０５（図１〜図３参照）に代えて、レンズホルダ２に固定の各磁性片１０ａ，１０ａが基台１に固定の各永久磁石４，４と磁気的に対になるため、対物レンズに対するフォーカシング及びトラッキングの際のレンズホルダ２の駆動効率を高く維持することができる。従って、従来必要であった各主ヨーク部材１０５，１０５が一切不要となり、その結果、アクチュエータそのものの製作コストの低減が達成できるわけである。しかも、各主ヨーク部材１０５，１０５を許容するためのレンズホルダ１０２における貫通穴１０２ｄ，１０２ｄも当然不要となり、製作コストのより効果的な低減が可能である。
【００２３】
なお、本考案は上記の各実施形態に限定されず、本考案の趣旨を逸脱しない範囲で、種々の変更が可能である。例えば、レンズホルダ２における突起部２ｃを従来のような矩形筒状部１０２ｃに代えても構わない。また、各磁性片１０ａ，１０ａは、磁性板１０に設けることなく、単独の部品としてもよい。
【００２４】
【考案の効果】
以上説明した通り、本考案によれば、支軸、この支軸を挟んで所定間隔を空けて相互に対向する一対の永久磁石、及びこれらの各各永久磁石の内方でこれらに対向する一対の主ヨーク部材が立設された基台と、対物レンズを保持して、前記永久磁石同士の間で前記支軸に軸方向及び周方向で摺動可能に支持されるとともに、前記支軸に対して同軸状にフォーカシング用コイル、及びこのフォーカシング用コイルの外方で前記各永久磁石に対向する一対のトラッキング用コイルが取り付けられたレンズホルダと、を備え、前記フォーカシング用コイルの上下端各々に、これと同軸状にリング状の磁性板が取り付けられた光ピックアップ用アクチュエータにおいて、上端側の前記磁性板を排除するとともに、前記主ヨーク部材に代えて、前記レンズホルダにおける前記フォーカシング用コイルの内周に、前記各永久磁石に対向する一対の磁性片が取り付けられており、これらの各磁性片は、下端側の前記磁性板の内縁から折曲形成されてなる。これにより、レンズホルダに固定の各磁性片が基台に固定の各永久磁石と磁気的に対になるため、対物レンズに対するフォーカシング及びトラッキングの際のレンズホルダの駆動効率を高めることが可能となる。従って、従来のアクチュエータに必要であった各主ヨーク部材が一切不要となり、その結果、アクチュエータそのものの製作コストの低減が達成できる。
【図面の簡単な説明】
【図１】本考案の一実施形態であるアクチュエータの要部上面図である。
【図２】図１のＡ−Ａ断面図である。
【図３】図１のＢ−Ｂ断面図である。
【図４】本考案の一実施形態であるアクチュエータにおけるレンズホルダの分解斜視図である。
【図５】従来のアクチュエータの要部上面図である。
【図６】図５のＣ−Ｃ断面図である。
【図７】図５のＤ−Ｄ断面図である。
【符号の説明】
１　　基台
１ａ　　補助ヨーク部
１ｂ　　ピン部
２　　レンズホルダ
２ａ　　一端部
２ｂ　　円筒部
２ｃ　　突起部
３　　支軸
４　　永久磁石
６　　対物レンズ
７　　フォーカシング用コイル
８　　トラッキング用コイル
１０　　磁性板
１０ａ　　磁性片
【図１】
0003097875.tif 000003
【図２】
0003097875.tif 000004
【図３】
0003097875.tif 000005
【図４】
0003097875.tif 000006
【図５】
0003097875.tif 000007
【図６】
0003097875.tif 000008
【図７】
0003097875.tif 000009